(57)【特許請求の範囲】
【請求項１】
複数の分割配線板が垂直に配置され且つ板厚方向に積層され、各分割配線板が垂直方向の複数のバスバーを有し、各バスバーが一方に外部接続用の端子、主要なバスバーが他方に電源回路接続用の端子をそれぞれ該分割配線板から垂直方向に突出して有し、所要のバスバーの中間部が水平方向の分配回路で相互に接続されて成る分配部としての分割配線ブロックと、
該分割配線ブロックに隣接して水平方向に並列に配置される電源部であるバスバー配線ブロックと、該電源回路接続用の端子と該バスバー配線ブロックとを相互に接続する電源回路と、該外部接続用の端子を配置する複数のコネクタハウジングを有して該分割配線ブロックと該バスバー配線ブロックと該電源回路とを収容するカバーとで構成されることを特徴とする電気接続箱。
【請求項２】
前記バスバーが、前記外部接続用の端子であるタブ端子と、前記電源回路接続用の端子である圧接端子とを同一平面上に有することを特徴とする請求項１記載の電気接続箱。
【請求項３】
前記バスバーの中間部が前記分割配線板から露出され、この露出部に前記分配回路である電線又は細幅バスバーが溶接や溶着で接続されたことを特徴とする請求項１又は２記載の電気接続箱。
【請求項４】
前記分割配線板の絶縁基板に接続孔が設けられ、該接続孔内に前記バスバーの露出部が位置したことを特徴とする請求項３記載の電気接続箱。
【請求項５】
前記各分割配線板に前記分配回路が複数本配設されたことを特徴を特徴とする請求項３又は４記載の電気接続箱。
【請求項６】
前記分割配線板に前記バスバーがインサート成形されたことを特徴とする請求項１〜５の何れかに記載の電気接続箱。
【請求項７】
前記電源部がバスバー配線板で構成され、該バスバー配線板のバスバーが、前記電源回路である電線を圧接する圧接端子を少なくとも有することを特徴とする請求項１〜６の何れかに記載の電気接続箱。
【請求項８】
前記分割配線ブロックの外部接続用の各端子がグループ毎に前記カバーの各コネクタハウジング内に収容されることを特徴とする請求項１〜７の何れかに記載の電気接続箱。
【請求項９】
外部ワイヤハーネスの複数の分割コネクタで構成される合体コネクタが前記コネクタハウジングに嵌合することを特徴とする請求項１〜８の何れかに記載の電気接続箱。
【発明の詳細な説明】
【０００１】
【発明の属する技術分野】
本発明は、複数の縦方向の分割配線板に複数のバスバーを配設し、各バスバーを分配回路で相互に接続した分割配線ブロックと、その分割配線ブロックを分配部として電源部とは分離して使用し、自動車の車種やグレードに応じて共通使用できるようにした電気接続箱に関するものである。
【０００２】
【従来の技術】
図１２は従来の電気接続箱を示すものである。
この電気接続箱７１は、合成樹脂製の略三角形状のアッパカバー７２とロアカバー（図示せず）及び両カバーの間に積層される複数枚のバスバー配線板７３とを備えたものである。
【０００３】
アッパカバー７１は周壁７４と上壁７５とを有し、上壁７５の第一の角部側に複数のヒューズ挿着部７６が並列に形成され、第二の角部側に複数のコネクタ挿着部（雌型のコネクタハウジング）７７が形成され、第三の角部側に複数のリレー挿着部７８とヒュージブルリンク挿着部７９とが形成されている。第一の角部と第二の角部との中間には電源入力用のコネクタ挿着部８０が形成されている。アッパカバー７２の周壁７４は係止手段８１でロアカバー（図示せず）に係合する。
【０００４】
ヒューズ挿着部７６は、ヒューズ８２を保持する両側の壁部８３と、両壁部８３を連結する区画壁８４と、両壁部８３の中間の下側でヒューズ８２を支持する支持壁（図示せず）と、上壁７５を貫通したヒューズ挿入空間とを備えている。コネクタ挿着部７７は、上壁７５から突出した周壁８５と、周壁８５の内側に形成され、上壁７５を貫通したコネクタ嵌合室８６とを備えている。
【０００５】
コネクタ挿着部７７は雌型のコネクタハウジングとなっている。リレー挿着部７８は四つの端子挿入孔８７を有し、端子挿入孔８７は上壁７５の下側の例えば中継端子収容室に続いている。ヒュージブルリンク挿着部７９は前記ヒューズ８２よりも大きな容量の電源用の箱状のヒュージブルリンク（図示せず）を挿着するためのものであり、周壁８８と内側の支持壁とを有している。
【０００６】
バスバー配線板７３は、合成樹脂製の絶縁基板８９と、絶縁基板上に配索された複数本のバスバー９０とで構成されている。バスバー９０には要所に複数のタブ端子９１（９１1 ，９１2 ）や音叉状の挟持端子９２が一体に立上げ形成されている。バスバー９０及び各端子９１，９２は導電金属板から打抜き形成され、各端子９１，９２は基部から垂直に折り曲げられている。電源入力用の太いタブ端子９１1 はバスバー９０を経て挟持端子９２に続いている。ヒューズ挿着部７６に対する挟持端子９２及びその近傍が電源部９３として作用し、コネクタ挿着部７７に対するタブ端子９１2 及びその近傍が分配部９４として作用する。
【０００７】
バスバー９０には上向きのみならず下向きにもタブ端子（図示せず）が形成されており、下向きのタブ端子は下側のバスバー配線板７３の挿通孔９５を貫通して下向きに突出されて、ロアカバー側の例えばコネクタ挿着部内等に位置する。下側のバスバー配線板７３の上向きのタブ端子９１2 や挟持端子９２は上側のバスバー配線板７３の挿通孔９６を貫通してアッパカバー７２側に突出する。すなわち、タブ端子９１はコネクタ挿着部７７内やリレー挿着部７８の下側に位置し、挟持端子９２はヒューズ挿着部７６やヒュージブルリンク挿着部７９の下側に位置する。
【０００８】
コネクタ挿着部７７である雌コネクタハウジングとタブ端子９１2 とで雌コネクタが構成される。雌コネクタにはワイヤハーネス側の雄コネクタ（図示せず）が嵌合接続される。また、ヒューズ８２やヒュージブルリンク（図示せず）のタブ端子は挟持端子９２に挟持接続される。リレー（図示せず）のタブ端子は例えば雌−雌中継端子（図示せず）を介してバスバー配線板７３側のタブ端子（図示せず）に接続される。
【０００９】
外部ワイヤハーネス（図示せず）の電源線に続く雄コネクタが電源入力用のコネクタ挿着部８０に嵌合され、電源電圧がバスバー９０を経てヒュージブルリンクに送られ、ヒューズ８２を経て他のバスバー９０でリレーや分配用のコネクタ挿着部７７側に送られ、分配用のコネクタ挿着部７７から外部ワイヤハーネスに分岐接続される。
【００１０】
【発明が解決しようとする課題】
しかしながら、上記従来の電気接続箱７１にあっては、バスバー配線板７３に電源部９３と分配部９４とが一体的に設けられているために、車両のグレードによって使用しない端子９１，９２が生じ、電気接続箱７１を共通使用すると端子９１，９２の無駄が生じたり、あるいは、異なる車種間においては電源部９３に対する分配方向、すなわち電気接続箱１のどの位置にどのコネクタ挿着部７７を配置するかという点で異なったり、内部回路であるバスバー９０の形状や端子９１，９２の数や位置が異なるために、電気接続箱７１を共通使用できず、車種毎に専用の電気接続箱７１を設定しなければならないという問題があった。たとえ電気接続箱１を共用できたとしても、電気接続箱側のコネクタ挿着部７７に対して外部ワイヤハーネスのコネクタの取り回しが複雑になり、接続作業性が悪化すると共に、ワイヤハーネスが長く重く且つコスト高になるという問題を生じてしまい、実際には共用が極めて困難であった。
【００１１】
また、バスバー配線板７３は、その電源部９３や分配部９４において、バスバー９０から多くの端子９１，９２を切り起こし形成しているために、端子９１，９２を切り起こした後の切欠孔がバスバー９０に多く生じており、その切欠孔が無駄な面積を占めて、回路密度を高めることができないという問題があった。
【００１２】
本発明は、上記した点に鑑み、車両のグレード毎に共通使用しても端子の無駄を生じることがなく、また、異なる車種にも共通して使用することのできる電気接続箱を可能し、且つ回路密度を高めることのできる配線板構造とそれを用いた電気接続箱を提供することを目的とする。
【００１３】
【課題を解決するための手段】
上記目的を達成するために、本発明は、複数の分割配線板が垂直に配置され且つ板厚方向に積層され、各分割配線板が垂直方向の複数のバスバーを有し、各バスバーが一方に外部接続用の端子、主要なバスバーが他方に電源回路接続用の端子をそれぞれ該分割配線板から垂直方向に突出して有し、所要のバスバーの中間部が水平方向の分配回路で相互に接続されて成る分配部としての分割配線ブロックと、該分割配線ブロックに隣接して水平方向に並列に配置される電源部であるバスバー配線ブロックと、該電源回路接続用の端子と該バスバー配線ブロックとを相互に接続する電源回路と、該外部接続用の端子を配置する複数のコネクタハウジングを有して該分割配線ブロックと該バスバー配線ブロックと該電源回路とを収容するカバーとで構成されることを特徴とする電気接続箱を採用する（請求項１）。
前記バスバーが、前記外部接続用の端子であるタブ端子と、前記電源回路接続用の端子である圧接端子とを同一平面上に有することも有効である（請求項２）。
また、前記バスバーの中間部が前記分割配線板から露出され、この露出部に前記分配回路である電線又は細幅バスバーが溶接や溶着で接続されたことも有効である（請求項３）。
また、前記分割配線板の絶縁基板に接続孔が設けられ、該接続孔内に前記バスバーの露出部が位置したことも有効である（請求項４）。
また、前記各分割配線板に前記分配回路が複数本配設されたことも有効である（請求項５）。
また、前記分割配線板に前記バスバーがインサート成形されたことも有効である（請求項６）。
また、前記電源部がバスバー配線板で構成され、該バスバー配線板のバスバーが、前記電源回路である電線を圧接する圧接端子を少なくとも有することも有効である（請求項７）。
また、前記分割配線ブロックの外部接続用の各端子がグループ毎に前記カバーの各コネクタハウジング内に収容されることも有効である（請求項８）。
また、外部ワイヤハーネスの複数の分割コネクタで構成される合体コネクタが前記コネクタハウジングに嵌合することも有効である（請求項９）。
【００１４】
【発明の実施の形態】
以下に本発明の実施の形態の具体例を図面を用いて詳細に説明する。
図１は、本発明に係る電気接続箱の一実施形態を示すものである。
この電気接続箱１は、合成樹脂製のアッパカバー２とロアカバー３及び両カバー２，３内に挟持固定される電源部４と分配部５と、電源部４と分配部５を接続する複数本の絶縁被覆電線（電源回路）６とで構成されている。電気接続箱１はジャンクションブロックとも呼称される。
【００１５】
アッパカバー２は雌型のコネクタハウジング７等を表側に突出させ、ロアカバー３はリレー挿着部８やコネクタ挿着部９等を裏側に突出させている。ロアカバー３の収容室１０の一方（片半部）に電源部４が収容され、電源部４に隣接して収容室１０の他方（片半部）に分配部５が収容される。リレー挿着部８等は一方に配置され、コネクタ挿着部９は他方に配置されている。
【００１６】
電源部４は、複数枚（本形態では二枚）の水平方向のバスバー配線板１１で成るバスバー配線ブロックで構成され、分配部５は多数枚の垂直方向（縦置き）の分割配線板１２で構成されている。バスバー配線板１１と分割配線板１２とは前記電源回路である複数本の電線６で接続されている。
【００１７】
バスバー配線板１１は、合成樹脂製の絶縁基板１３と、各絶縁基板１３の表面側に配設された複数本のバスバー１４と、バスバー１４から垂直に上向きに突設された複数のタブ端子１５と同じく複数の挟持端子１６、及びバスバー１４から下向きに突設された複数のタブ端子等と複数の圧接端子１７とで構成されている。バスバー１４は水平方向に所要形状に屈曲している。各バスバー１４と電線６とは電源回路として作用する。
【００１８】
図１の実施形態で上向きの挟持端子１６は下層のバスバー配線板１１上のバスバー（１４と類似のもの）から立設され、上層のバスバー配線板１１を貫通して上向きに突出している。上向きのタブ端子１５はアッパカバー２の例えばコネクタ挿着部７である雌型のコネクタハウジング内に突出して位置し、上向きの挟持端子１６はアッパカバー２のヒューズ挿着部（図示せず）内に位置する。また、下向きのタブ端子等は下層のバスバー配線板１１を貫通してロアカバー３のリレー挿着部８やヒュージブルリンク挿着部１８等に挿入される。下向きの圧接端子１７は下層のバスバー配線板１１を貫通して下方に突出している。圧接端子１７に電線６の一端部が圧接接続される。
【００１９】
分配部５を構成する各分割配線板１２は、図２にも示す如く、縦置きに配列される合成樹脂製の絶縁基板２０と、絶縁基板２０の高さ方向に貫通あるいは絶縁基板２０から上部側を突出させた状態で並列に配置された複数の短めの各形態のバスバー２１と、各バスバー２１に沿って絶縁基板２０に設けた複数の接続孔２２を通じてバスバー２１に溶接接続された水平方向の分配回路である複数本の裸電線２３とで構成されている。複数枚の分割配線板１２が縦置きの状態で基板板厚方向に積層されて分配部５を構成している。
【００２０】
各バスバー２１には上向きのタブ端子（外部接続用の端子）２４が一体に形成されている。一部のタブ端子２４は、アッパカバー２（図８）のコネクタハウジング２５の位置に応じたクランク状の屈曲部２６を有している。屈曲部２６によってタブ端子２４相互のファインピッチ化が可能となっている。タブ端子２４は前後左右に整列して配置され、いわゆるマトリクスの形態になっている。分割配線板１２はマトリクス板とも呼称される。
【００２１】
各バスバー２１は少なくとも絶縁基板２０の下端まで延長されている。一部のバスバー２１は絶縁基板２０から下向きに突出した電源回路接続用の圧接端子（電源回路接続用の端子）２７を有している。圧接端子２７に電源回路である電線６（図１）の他端部ないしは中間部が圧接接続される。あるバスバー２１にはタブ端子（図示せず）が下向きに且つ９０°ひねった状態で突出形成され、このタブ端子はロアカバー３の雌型のコネクタハウジング９内に突出される。各分割配線板１２のバスバー２１は板厚方向の列毎に同一形状のものが使用されている。これにより、分割配線板１２の製造が容易化している。
【００２２】
各バスバー２１はアッパカバー２（図８）の各コネクタハウジング２５の配置形態に応じて、グループ毎にまとまって配列されている。本実施形態でバスバー２１は五つのグループ（群れ）２８1 〜２８5 に分けられており、各グループ間にバスバー一本分程度の間隔があけられている。グループ２８3 のバスバー２１は他のブループより少なく、バスバー２１を配置しない部分には絶縁基板１２にバスバー挿通孔３４が残存している。バスバー挿通孔３４は、バスバー２１を圧入により絶縁基板２０に固定する場合にのみ形成される。
【００２３】
分配回路である電線２３は絶縁基板２０の主に一方の面において絶縁基板２０の長手方向に真直に且つ各接続孔２２に対応して複数段で平行に配索されている。絶縁基板２０の他方の面の上下端部には水平方向のリブ３０が設けられ、一対のリブ３０の間の空間に隣接の分割配線板１２の電線２３が位置している。リブ３０に変えて突起等を用いることも可能である。
【００２４】
図１の如く、各分割配線板１２は板厚方向に積層された状態で絶縁樹脂製の基台３１の上に載置されている。基台３１は両側に支持用の脚部３２を有し、下向きの圧接端子２７は基台３１の挿通孔３３を貫通して基台３１の内側空間に位置している。各分割配線板１２は例えば一方の絶縁基板２０に突設した短円柱状のボス部（図示せず）を他方の絶縁基板２０の穴部（図示せず）に圧入することで相互に合体固定されている。分割配線板１２の固定手段はボス部等に限るものではない。
【００２５】
各バスバー２１は所要の接続孔２２内で電線２３に溶接接続されている。電線２３は分割配線板１２の長手方向に所要のバスバー２１をジョイント接続させている。ジョイント接続により各バスバー２１に同一の電源電圧や信号等が供給される。電源電圧は電線２３，６と圧接端子２７，１７を通じて供給され、信号は外部ワイヤハーネス（図示せず）のコネクタを通じて供給される。
【００２６】
図３〜図７は上記分割配線板の製造方法の一例を示すものである。
この方法は、先ず図３の如くバスバー連鎖体３６を一枚の導電金属板から打抜き形成する。バスバー連鎖体３６は縦方向のバスバー２１と、各バスバー２１を繋ぐ横方向の連鎖部３７とで略枠状に形成されている。連鎖部３７の一部はバスバー２１の屈曲部２６を構成する。連鎖部３７は上下に二本設けられ、上側の連鎖部３７から上向きにタブ端子２４が突出し、下側の連鎖部３７から下向きに圧接端子２７が突出している。圧接端子２７は全てのバスバー２１に設けてもよく、あるいは図３の如く必要な部位にだけ選択的に設けてもよい。圧接端子２７は一対の刃付きの圧接片の間にスロット３８を有する公知のものである。
【００２７】
図３のバスバー連鎖体３６は図４の如く合成樹脂製の絶縁基板２０にインサート成形される。すなわち、バスバー連鎖体３６を成形型（図示せず）内にセットした状態で溶融樹脂材（２０）を成形型内に注入し、バスバー連鎖体３６の上下の連鎖部３７とタブ部２４と圧接端子２７とを除く部分を樹脂材（絶縁基板）２０で覆う。その際、バスバー２１を露出させる複数の接続孔２２を同時に成形する。接続孔２２は、成形型の円柱状のピン部（図示せず）の上から溶融樹脂材（２０）を充填することで形成される。接続孔２２はバスバー２１の長手方向に等ピッチで並列に複数設けられる。接続孔２２の数は接続する電線２３（図２）の数に応じて適宜決定される。使用しない接続孔２２は上記インサート成形時に樹脂材（２０）で塞いでしまうことも可能である。接続孔２２は絶縁基板２０の両面に設けることが電線２３（図２）の溶接作業上好ましい。
【００２８】
次いで、図５の如く不要な連鎖部３７（図４）を切断して、分割配線板本体４０を得る。この際、タブ端子２４と中間のバスバー本体２１ａを繋ぐ屈曲部２６が形成されると共に、圧接端子２７の板幅がバスバー本体２１ａの幅よりも幅広に形成される。バスバー本体２１ａは三つの接続孔２２内で露出されている。露出部を符号２１ｂで示す。
【００２９】
さらに、図６の如く、分割配線板本体４０の所要の接続孔２２において電線２３をバスバー２１に溶接して接続させることで、分割配線板１２が完成する。溶接部を符号４１で示す。溶接はスポット抵抗溶接が好ましい。溶接電極（図示せず）は接続孔２２よりも小径なものを使用する。電線２３は例えば溶接電極でバスバー２１の露出表面２１ｂに押し付けられて凹状に屈曲し、接続孔２２内で溶接部４１が構成される。
【００３０】
なお、電線２３を絶縁基板２０の両面に配置した状態でバスバー２１に溶接することも可能である。その場合は、支持用のリブ３０を倍程度に高く設定して、電線収容空間を確保する。リブ３０は電線２３を配置する側の面に突設してもよい。また、抵抗溶接に代えてビーム溶接を採用すれば、電線２３は絶縁被覆電線でもよく、それにより絶縁性が向上する。絶縁被覆電線の場合は接続孔２２を用いずにバスバー２１の中間部（バスバー本体２１ａ）を全長に渡って露出させることも可能である。また、電線２３に代えて細幅バスバー（図示せず）を用いることも可能であり、それにより強電流にも対応できる。
【００３１】
図６の分割配線板１２の形態においては、上段の電線２３1 が右から一番目と三番目と六番目と七番目と十番目の各バスバー２１と接続され、中段の電線２３2 が右から四番目と九番目の各バスバー２１に接続され、下段の電線２３3 が右から二番目と五番目と八番目の各バスバー２１に接続されて、全てのバスバー２１は何れかの電線２３（２３1 〜２３3 ）に接続されている。各バスバー２１は各電線２３によってジョイントされている。図２における手前側の分割配線板１２のバスバー２１と電線２３との接続形態が図６の場合と異なるように、電線２３とバスバー２１の接続形態は各分割配線板１２ごとに設定されている。
【００３２】
また、必ずしも全ての圧接端子２７に電線（電源回路）６（図１）を接続するわけではなく、どのバスバー２１に電源を供給するかによって、圧接端子２７を選択して電線６を圧接する。複数枚の分割配線板１２の圧接端子２７に同一の電線６（図１）を共通接続することも可能である。この場合、一本の電線６の長手方向に複数の圧接端子２７が間隔を置いて圧接される。また、圧接端子２７や電線（分配回路）２３に全く接続されないバスバー２１を設けることも可能であり、そのバスバー２１は外部のワイヤハーネスからの信号を例えばコネクタ９側に導通させる回路として使用され得る。
【００３３】
電線（分配回路）２３を溶接する際に、図７の如く絶縁基板２０の表面に上下一対の保持突起４３を設けておき、保持突起４３の間に電線２３を挟持固定させておくことも可能である。保持突起４３により電線２３の位置が正確に規定され、布線作業が容易化すると共に、溶接作業が効率的に行われる。保持突起４３は上記インサート成形時に同時に形成される。保持突起４３に代えて保持リブや保持溝（図示せず）を設けることも可能である。
【００３４】
各分割配線板１２を縦型に積層することで、図２の分割配線板組立体である分割配線ブロック５すなわち分配部が完成する。分配部は正確には図１の基台３１を含む。分割配線ブロック５においては各バスバー２１を縦方向（垂直方向）に配置しているから、従来の水平なバスバーのようにタブ端子を垂直方向に屈曲させる必要がなく、それにより製造が容易化する。また、従来のバスバー配線板のようにタブ端子を切り起こし形成した跡の無駄な空間が生じないことと共に、複数のバスバー２１を近接して配列することができ、且つ分割配線板１２の積層面内で電線２３を溶接して回路形成を行うことで、回路の高密度化が達成される。
【００３５】
図１において電源部４の圧接端子１７と分配部５の圧接端子２７とに電線６を圧接した後、電源部４と分配部５とをロアカバー３内に収容する。その際、電源部４の下向きのタブ端子等がリレー挿着部８内等に進入すると共に、分配部５の９０°ひねられた下向きのタブ端子（図示せず）がコネクタハウジング９内に進入する。この９０°方向のタブ端子は電気接続箱によっては使用しないこともある。電源部４側の圧接端子１７は各リレー挿着部８間の空間に位置させてもよく、分配部側の基台３１と同様な基台を用いてもよい。次いでアッパカバー２を被せることで、電源部側の上向きのタブ端子１５等がコネクタハウジング７内等に進入し、分配部５側の上向きの各タブ端子２４が図８の各コネクタハウジング２５内に進入する。
【００３６】
図８はアッパカバー２の一形態を示すものである。
アッパカバー２の上面には例えば長手方向前半部の右半部に複数のヒューズ挿着部４５が整列して配設されると共に、左半部に例えば電源入力用を含む複数のコネクタ挿着部４６が配置されている。また、アッパカバー２の上面の長手方向後半部に、外部ワイヤハーネス（図示せず）のコネクタを接続させる複数のコネクタ挿着部すなわちコネクタハウジング２５（２５1 〜２５5 ）が幅方向に近接して並列に配置されている。コネクタハウジング２５1 〜２５4 はカバー長手方向に比較的長く形成され、コネクタハウジング２５4 は隔壁４７を介してコネクタハウジング２５5 に一体化している。
【００３７】
前半側のヒューズ挿着部４５内には図１の電源部（バスバー配線ブロック）４の挟持端子１６が収容され、コネクタ挿着部（雌型のコネクタハウジング）７のコネクタ嵌合室４８内には同じく電源部４のタブ端子１５が収容されている。コネクタハウジング７とタブ端子１５とで雌型のコネクタ４９が構成されている。
【００３８】
また、後半部の各コネクタ挿着部（雌型のコネクタハウジング）２５内には図１の分配部（分割配線ブロック）５の各分割配線板１２のタブ端子２４が収容されている。図１の分割配線ブロック５において各タブ端子２４は各コネクタハウジング２５の位置に対応した行列（マトリクス）形態に配置されている。雌型のコネクタハウジング２５とタブ端子２４とで雌型のコネクタ５０が構成されている。
【００３９】
電源部４側において電源入力用のコネクタに入力された電源電圧はバスバー配線板１１の一つのバスバー１４と挟持端子１６を介してヒューズ挿着部内のヒューズ（図示せず）に通電され、ヒューズから他のバスバー１４と電線６を経て分配部５の各分割配線板１２の圧接端子２７付きのバスバー２１に通電される。そして一つのバスバー２１から各分割配線板１２の電線２３を経て他のバスバー２１に電源が供給される。電源は図８の各コネクタ５０から外部ワイヤハーネス５１（図９）の各コネクタ５２を介して車両の電装部品や補機等（図示せず）に供給される。
【００４０】
車種やグレードによってワイヤハーネス側の各コネクタ５２（図９）の位置や数あるいはコネクタ５２内の端子数が異なっているが、分割配線ブロック５のタブ端子２４（図１）の配列や数を選択的に容易に変更することができるから、これらワイヤハーネス側のコネクタ５２に応じて無駄のない且つコネクタ接続作業性のよい電気接続箱１を得ることができる。すなわち、使用しない端子付きのバスバー２１を電気接続箱１から削除することができると共に、図９の如く、ワイヤハーネス側の各コネクタ５２の位置（並び順や接続方向）に整合する位置に所要の端子２４と端子数とを備えた電気接続箱１側のコネクタ５０を設定することができる。
【００４１】
車種によってワイヤハーネス側のコネクタ５２の大きさ形状が違う場合は、アッパカバー２のみを交換すれば、内部の電源部４と分配部５はバスバー２１の数や位置を変更するだけで共通使用（共用化）できる。従来においてはワイヤハーネス側のコネクタ５２の位置と電気接続箱側のコネクタ５０の位置とが整合しないから、コネクタ接続に対してワイヤハーネス５１の分岐線５３が交差したり、分岐線５３を長く延長させなければならないといった問題を生じていたが、上記実施形態によりそれらの問題が解消されている。車種によっては端子２４すなわちバスバー２１の配置や数のみを変更して、コネクタハウジング２５すなわちカバー２，３は車種やグレードに関係なく共通使用することもできる。
【００４２】
図１０は、ワイヤハーネス側のコネクタの一形態としての合体コネクタを示すものである。
この合体コネクタ５５は、端子収容室５６を区画する並列な隔壁５７を有する合成樹脂製の複数個の分割コネクタハウジング５８と、各端子収容室５６内に係止される電線付きの端子５９とで構成されている。各隔壁５７は基板部６３から立設され、隔壁５７の先端側で端子収容室５６が開放されている。端子５９は、分配部５（図１）のバスバー２１のタブ端子２４に対する雌型の電気接触部６１と、電線６２に対する圧接部６４とを有している。電線（分岐線）６２は端子５９に圧接されてワイヤハーネスの幹線に続いている。
【００４３】
図１１の如く、各分割コネクタハウジング５８（５８1 〜５８9 ）は種々の大きさのものが用意され、図示しない係止手段で合体されて一つの大きな合体コネクタハウジング６３を構成する。合体前に各分割コネクタハウジング５８には予め端子５９（図１０）が収容係止される。電線６２（図１０）は予め端子５９に圧接してもよく、あるいはコネクタハウジング５８に端子５９を収容した後で電線６２を圧接してもよい。端子５９は例えば隔壁５７の係止突起（図示せず）によって係止される。これら分割コネクタ６０（コネクタハウジング５８に端子５９を収容したもの）が合体して一つの合体コネクタ５５が完成する。
【００４４】
車種に応じて分割コネクタ６０の形状・大きさを選択すると共に各分割コネクタ６０を合体させて所要の合体コネクタ５５を形成することができる。分割コネクタハウジング５８は複数種を用意して共通使用し、端子５９も共通使用する。アッパカバー２のコネクタハウジング２５の大きさ形状に合わせて合体コネクタ５５を構成することもできる。それによりアッパカバー２の変更が不要となる。
【００４５】
【発明の効果】
以上の如く、請求項１記載の発明によれば、複数枚の分割配線板の組合せを変えたり、分割配線板のバスバーの配置を変えたり、バスバーの数を増減させたり、分配回路と各バスバーとの接続位置を変えたりすることで、多種の回路形態を簡単に得ることができ、それにより車種やグレードの変更に容易に対応できる。各分割配線板やバスバーは車種やグレードに対応して共通使用することができるから、経済的であり、且つ迅速な対応が可能となる。また、従来のバスバー配線板のような水平方向の複雑な形状のバスバーや、バスバーから切り起した端子を使用しないから、各分割配線板の占有面積が削減され、回路や端子の高密度化が可能となり、且つ構造がコンパクト化される。
また、不要な電源回路接続用の端子が排除されるから、分割配線板が簡素化・軽量化される。また、電源部と分配部とに分割したことで、電源部はそのままで分配部のみを仕様変更してカバー内に収容することが可能となり、それにより車種やグレードの違いに容易に対応可能となる。また、電源部と分配部とを分配回路で接続したことで、電源電圧を分配部に供給することができる。そして、分配部が複数の分割配線板の集合体である分割配線ブロックであるから、分割配線板の組合せやバスバーの配置や数や分配回路と各バスバーとの接続位置等を変更することで、車種やグレードに関係なく電気接続箱の共通仕様が可能となる。例えばグレードの低い場合は端子の数を減らして無駄をなくし、車種が違う場合は端子の配列を変えて対応可能である。
【００４６】
また、請求項２記載の発明によれば、バスバーにタブ端子と圧接端子とが同一平面上に形成されたことにより、従来のバスバーから直角に屈曲させた端子に較べて、バスバーの加工が容易化し、分割配線板の低コスト化が図られると共に、屈曲した端子の占めるスペースが削減され、構造がコンパクト化される。
【００４７】
また、請求項３記載の発明によれば、バスバーの中間部を露出させ、分配回路である電線や細幅バスバーを溶接や溶着といった手段でバスバーに接続することで、バスバー同士のジョイント接続を簡単且つ確実に且つ効率的に行うことができる。
【００４８】
また、請求項４記載の発明によれば、絶縁基板の接続孔によって分配回路が正確に位置決めされ、各バスバーに分配回路が整然と接続されると共に、接続作業性が向上する。また、分配回路である裸電線や細幅バスバーが接続孔以外の部分では絶縁基板によって確実に絶縁される。
【００４９】
また、請求項５記載の発明によれば、複数の分配回路と各バスバーとの組合せにより一層多様な回路形態を得ることができ、車種やグレートの多様化に対応可能となる。また、一本のバスバーに対する複数の接続孔によって各分配回路が正確に位置決めされた状態で各バスバーに接続され、複数の分配回路が整然と配列される。
【００５０】
また、請求項６記載の発明によれば、バスバーを絶縁基板に効率的に固定することができ、分割配線板の生産性が向上すると共に、バスバーが絶縁基板内に埋入されて外部に対して確実に絶縁される。
【００５２】
また、請求項７記載の発明によれば、既存の水平方向のバスバー配線板とバスバー及びその端子を用いることで、各車種やグレードによる変更の少ない電源部として安価に且つ容易に対応できる。
【００５３】
また、請求項８記載の発明によれば、分割配線ブロックの外部接続用の各端子がグループ毎にカバーの各コネクタハウジング内に収容されることで、分割配線ブロックと外部ワイヤハーネスの各コネクタとの接続が可能となる。ワイヤハーネスは分割配線ブロックから電源を供給される。端子のグループはワイヤハーネスの各コネクタの配置（配列）に応じて定めることができるから、ワイヤハーネスの各コネクタを最短距離でカバーの各コネクタに接続させることができ、ワイヤハーネスの絡み等がなくなると共に余長の設定が不要となり、ワイヤハーネスの短縮・軽量化が図られると共に、コネクタの接続作業性が向上する。
【００５４】
また、請求項９記載の発明によれば、車種に応じて分割コネクタの形状・大きさを選択し、各分割コネクタを合体させて所要の合体コネクタを形成することで、分割コネクタが共用化され、ワイヤハーネス側の製造が効率化する。また、カバーのコネクタハウジングの大きさ形状に合わせて合体コネクタを構成することもでき、それによりカバーの変更が不要となる。
【図面の簡単な説明】
【図１】本発明に係る電気接続箱の一実施形態を示す分解斜視図である。
【図２】  本発明に係る分割配線ブロックの一実施形態を示す斜視図である。
【図３】  分割配線ブロックに用いるバスバーの加工前の状態（バスバー連鎖体）を示す斜視図である。
【図４】バスバー連鎖体を樹脂製の絶縁基板にインサート成形した状態を示す斜視図である。
【図５】バスバー連鎖体をバスバーに加工した状態を示す斜視図である。
【図６】各バスバーに分配回路である電線を溶接した状態を示す斜視図である。
【図７】電線（分配回路）の保持手段の一形態を示す斜視図である。
【図８】電気接続箱のアッパカバーの一形態を示す平面図である。
【図９】アッパカバーのコネクタにワイヤハーネスのコネクタを接続する状態を示す分解斜視図である。
【図１０】ワイヤハーネス側のコネクタの一形態を示す分解斜視図である。
【図１１】同じくワイヤハーネス側の分割コネクタハウジングの集合形態を示す平面図である。
【図１２】従来の電気接続箱の要部を示す分解斜視図である。
【符号の説明】
１      電気接続箱
２      アッパカバー（カバー）
３      ロアカバー（カバー）
４      電源部（バスバー配線ブロック）
５      分配部（分割配線ブロック）
６      電線（電源回路）
１１    バスバー配線板
１２    分割配線板
１４    バスバー
１７    圧接端子
２０    絶縁基板
２１    バスバー
２１ｂ  露出部
２２    接続孔
２３    電線（分配回路）
２４    タブ端子（外部接続用の端子）
２７    圧接端子（電源回路接続用の端子）
２５（２５1 〜２５5 ）  コネクタハウジング
５１      外部ワイヤハーネス
６０    分割コネクタ
５５    合体コネクタ
【図１】
0003700827.tif 000002
【図２】
0003700827.tif 000003
【図３】
0003700827.tif 000004
【図４】
0003700827.tif 000005
【図５】
0003700827.tif 000006
【図６】
0003700827.tif 000007
【図７】
0003700827.tif 000008
【図８】
0003700827.tif 000009
【図９】
0003700827.tif 000010
【図１０】
0003700827.tif 000011
【図１１】
0003700827.tif 000012
【図１２】
0003700827.tif 000013